(57)【要約】【課題】加熱機構の熱損失、画像のにじみ、用紙の湾曲を防止することができる定着装置を提供することを目的とする。【解決手段】所定の間隔をあけて相互に平行に配置された定着ローラ４１および対向ローラ４２と、定着ローラ４１と対向ローラ４２とに張り渡された無端ベルト４３と、回転軸が定着ローラ４１および対向ローラ４２の回転軸と平行に配置され、無端ベルト４３を介して定着ローラ４１に接触するとともに対向ローラ４２とは非接触とされた加圧ローラ４５とを有し、用紙の搬送路は、無端ベルト４３を介して定着ローラ４１と加圧ローラ４５とが圧接する部分を通過した後、無端ベルト４３と加圧ローラ４５のみが接する部分を通るように形成されている。また、定着ローラ４１には、内部に熱源４４−１が設置されて発熱体となっている。【選択図】図２
2006030245.tif 000002
【特許請求の範囲】
【請求項１】
所定の間隔をあけて相互に平行に配置された定着ローラおよび対向ローラと、
前記定着ローラと前記対向ローラとに張り渡された無端ベルトと、
回転軸が前記定着ローラおよび前記対向ローラの回転軸と平行に配置され、前記無端ベルトを介して定着ローラに接触するとともに前記対向ローラとは非接触とされた加圧ローラとを有し、
用紙の搬送路は、前記無端ベルトを介して前記定着ローラと前記加圧ローラとが圧接する部分を通過した後、前記無端ベルトと前記加圧ローラのみが接する部分を通るように形成されていることを特徴とする定着装置。
【請求項２】
前記定着ローラおよび前記対向ローラの少なくとも一方が発熱体であることを特徴とする請求項１の定着装置。
【請求項３】
発熱体である前記定着ローラは、ゴムの被覆されていない金属ローラであることを特徴とする請求項２記載の定着装置。
【請求項４】
発熱体である前記定着ローラは、少なくとも無端ベルトと接する部分の端部周囲がゴムで被覆されていることを特徴とする請求項２記載の定着装置。
【請求項５】
所定の間隔をあけて相互に平行に配置された定着ローラおよび支持部材と、
前記定着ローラと前記支持部材とに張り渡された無端ベルトと、
回転軸が前記定着ローラの回転軸と平行に配置され、前記無端ベルトを介して定着ローラに接触するとともに前記支持部材とは非接触とされた加圧ローラとを有し、
用紙の搬送路は、前記無端ベルトを介して前記定着ローラと前記加圧ローラとが圧接する部分を通過した後、前記無端ベルトと前記加圧ローラのみが接する部分を通るように形成されていることを特徴とする定着装置。
【発明の詳細な説明】
【技術分野】
【０００１】
本発明は、ベルトを用いた定着装置に関し、特に電子写真方式を採用したプリンタ、複写機、ファクシミリ等の印刷装置においてトナーを加熱して用紙に定着させる定着装置に関するものである。
【背景技術】
【０００２】
近年のパソコンの低価格化と汎用化に伴い、電子写真方式等のレーザプリンタ、複写機といった印刷装置も広く使用されるようになっており、この印刷装置の高速化、小型化が求められている。更に、環境保護の観点から、低消費電力、定着器のウォーミングアップ時間の短縮が追及されている。
【０００３】
このような印刷装置、特にレーザプリンタは、記録部とコントローラ部（インターフェース部を含む）から構成されており、記録部はレーザ走査露光部と電子写真プロセス部からなる。すなわち、記録部は、感光体を所定の電位に一様に帯電させる帯電装置、感光体に静電潜像を形成する露光装置、トナーを静電潜像に付着させてトナー像を形成する現像装置、感光体上のトナー像を中間転写ベルトに転写する１次転写装置、中間転写ベルト上に転写されたトナー像を用紙に転写する２次転写装置、感光体に残留したトナーを除去・回収する感光体クリーニング装置、中間転写ベルトに残留したトナーを除去・回収する中間転写ベルトクリーニング装置、感光体の表面電位を初期化する除電装置、用紙上のトナーに熱と圧力をかけて定着させる定着装置からなっている。
【０００４】
なお、トナーの定着方式としては、熱と圧力による方式が主流であり、他には光を用いる方式等も知られている。但し、低価格、小型化および高速化の流れの中では熱定着方式が一般的である。
【０００５】
ここで、図８を用いて、従来におけるローラ加熱を用いた定着装置について説明する。図８は従来の印刷装置に用いられた定着装置の一例を示す概略図である。
【０００６】
図８において、定着装置は、相互に圧接して回転する加熱ローラ２１および加圧ローラ２５で構成されている。
【０００７】
加熱ローラ２１は、アルミニウム素管２２の表面にゴム２３が被覆されたものからなり、アルミニウム素管２２の内部には熱源（ハロゲンランプ）２４が配されている。この加熱ローラ２１に対向して圧接する加圧ローラ２５もまた、アルミニウム素管２６の表面にゴム２７が被覆されたものからなる。
【０００８】
そして、加熱ローラ２１および加圧ローラ２５が相互に接しているニップ部分に、トナー２９が転写された用紙２８が通過することによって、トナーは加熱ローラ２１からの熱と加熱ローラ２１および加圧ローラ２５の圧力で溶融し、用紙２８に定着される。
【０００９】
上述のローラ加熱式の定着装置において、用紙２８へのトナーの定着性は、定着温度Ｔとニップ幅Ｌによって決まる。このニップ幅Ｌは、加熱ローラ２１と加圧ローラ２５のゴム２３，２７の硬度と厚みとによって決定され、できるだけ広いニップ幅が高速、低温定着を実現させることになる。
【００１０】
しかしながら、温度に対する加熱ローラ２１と加圧ローラ２５のゴム２３，２７の硬度と厚みから決まる用紙の排出方向（図８において矢印で示す方向）と、ニップ部で溶融し
たトナー２９が用紙２８を加熱ローラ２１へ引き付ける影響によっては、用紙２８が加熱ローラ２１と分離せず、加熱ローラ２１に巻き付く問題も発生する。
【００１１】
さらに、必要なニップ幅をとるために、加熱ローラ２１と加圧ローラ２５のゴム厚を厚くすると、熱源（ハロゲンランプ）２４の熱が加熱ローラ２１の表面に伝わるまでに時間を要することになり、ウォーミングアップタイムが遅くなってしまう。
【００１２】
同時に、肉厚の加熱ローラ２１と加圧ローラ２５では、熱的に安定するまでに時間を要し、経時変化によって定着器の状態が変化し、用紙光沢の変化や透過率の変化といった用紙の定着性が変化するばかりでなく、熱膨張によって加熱ローラ２１と加圧ローラ２５の径が変化し、用紙搬送速度が変化するといった問題も発生する。
【００１３】
このような問題を解決するためには、加熱ローラ２１と加圧ローラ２５の熱伝導率を向上させること、つまりローラ２１，２５を被覆するゴム２３，２７の厚みを薄くすることが効果的であるが、これでは上述した高速、低温定着の要請と逆になり、全て（ＷＵＴの短縮、高速化）が作用／反作用の関係となり、定着性の取捨選択となっている。
【００１４】
ここで、フィルム加熱方式の定着装置は、たとえば（特許文献１）や（特許文献２）に提案されている。
【００１５】
この定着装置は、支持部材に固定支持された加熱体に耐熱性を有する薄肉の定着フィルムを介して記録材を密着させ、定着フィルムを加熱体に対して摺動移動させながら加熱体の有する熱をフィルム材を介して記録材に供給するものである。この定着装置においては、加熱体として、例えば、耐熱性、絶縁性、良熱伝導性等の特性を有するアルミナ（Ａｌ2Ｏ3）や窒化アルミニウム（ＡｌＮ）等のセラミック基板と、通電により発熱する抵抗層をこのセラミック基板上に備えた構成を基本とするセラミックヒータを、定着フィルムとして薄膜で低熱容量のものを用いることができるために、熱ローラ方式の定着装置よりも伝熱効率が高く、ウォームアップ時間の短縮が図れ、クイックスタート化や省エネルギー化が可能になる。
【００１６】
ここで、図９は、従来の印刷装置に用いられた定着装置の他の一例を示す概略図である。なお、この方式の定着装置は、例えば（特許文献３）に記載されている。
【００１７】
熱源３４を有する加熱ローラ３１と加熱ローラ３１に離間して対向配置された対向ローラ３２との間に無端ベルト３３が張り渡されている。対向ローラ３２にはゴムが被覆されており、加圧ローラ３５を対向ローラ３２に押圧することにより無端ベルト３３を介して対向ローラ３２と加圧ローラ３５との間にニップが形成されている。そして、このニップ部に用紙を通過させることでトナーが定着され、高速立ち上げと高速印字を実現している。
【００１８】
しかし、この技術では、熱源３４がトナーを溶融させるニップ部から遠いために熱の損失が避けられない。また、従来のローラ加熱定着方式で説明したように、ニップ幅を確保するためにローラ３２，３５のゴム圧を厚くすると、熱的に安定するまで時間を要し、経時変化によって定着器の状態が変化し、用紙光沢の変化や透過率の変化といった用紙の定着性が変化するばかりでなく、熱膨張によって対向ローラ３２と加圧ローラ３５の径が変化し、用紙搬送速度の変化といった問題も発生する。
【００１９】
このような問題を解決するための技術として、例えば（特許文献４）には、図１０に示すようなベルト式の定着装置が開示されている。図１０は従来の印刷装置に用いられた定着装置のさらに他の一例を示す概略図である。
【００２０】
すなわち、図１０において、一方の内部に熱源３８を備えた２つのローラ３６，３７の間に無端ベルト３９を張るとともに、２つのローラ３６，３７を無端ベルト３９を介して加圧ローラ４０に接触させた構造であり、２つのローラ３６，３７との接触点の間がニップ幅Ｌとなるので、ローラ３６，３７の径とは関係なくニップ幅Ｌを任意に長くすることが可能になる。したがって、ローラ３６，３７の径を小さくしても必要なニップ幅Ｌを確保することができるので、装置の小型化が可能になるとともに、定着プロセスの高速化が可能になる。
【特許文献１】特開昭６３−３１３１８２号公報
【特許文献２】特開平１−２６３６７９号公報
【特許文献３】特開平１１−３８８０７号公報
【特許文献４】特開２００１−３４３８４９号公報
【発明の開示】
【発明が解決しようとする課題】
【００２１】
しかしながら、（特許文献４）に記載の技術では、２つのローラ３６，３７を無端ベルト３９を介して加圧ローラ４０に接触させることで、トナーに熱と圧力が作用する点が２箇所になり、結果としてトナーが用紙に溶け込む部分が２箇所になり、一旦溶けたトナーが用紙の挙動変化や、ベルトの動きの変化によって、画像のニジミが発生することがある。さらに、押圧箇所が２箇所になるため、無端ベルト３９の変極点が多くなり、用紙が湾曲するばかりでなく、無端ベルト３９の耐久性が低下する、という問題点がある。
【００２２】
そこで、本発明は、加熱機構の熱損失、画像のにじみ、および用紙の湾曲を防止することのできる定着装置を提供することを目的とする。
【課題を解決するための手段】
【００２３】
この課題を解決するために、本発明の定着装置は、所定の間隔をあけて相互に平行に配置された定着ローラおよび対向ローラと、前記定着ローラと前記対向ローラとに張り渡された無端ベルトと、回転軸が前記定着ローラおよび前記対向ローラの回転軸と平行に配置され、前記無端ベルトを介して定着ローラに接触するとともに前記対向ローラとは非接触とされた加圧ローラとを有し、用紙の搬送路は、前記無端ベルトを介して前記定着ローラと前記加圧ローラとが圧接する部分を通過した後、前記無端ベルトと前記加圧ローラのみが接する部分を通るように形成されているものである。
【００２４】
本発明の好ましい形態において、前記定着ローラおよび前記対向ローラの少なくとも一方が発熱体である。
【００２５】
本発明のさらに好ましい形態において、発熱体である前記定着ローラは、ゴムの被覆されていない金属ローラである。
【００２６】
本発明のさらに好ましい形態において、発熱体である前記定着ローラは、少なくとも無端ベルトと接する部分の端部周囲がゴムで被覆されている。
【００２７】
この課題を解決するために、本発明の定着装置は、所定の間隔をあけて相互に平行に配置された定着ローラおよび支持部材と、前記定着ローラと前記支持部材とに張り渡された無端ベルトと、回転軸が前記定着ローラの回転軸と平行に配置され、前記無端ベルトを介して定着ローラに接触するとともに前記支持部材とは非接触とされた加圧ローラとを有し、用紙の搬送路は、前記無端ベルトを介して前記定着ローラと前記加圧ローラとが圧接する部分を通過した後、前記無端ベルトと前記加圧ローラのみが接する部分を通るように形成されているものである。
【発明の効果】
【００２８】
本発明によれば、定着ローラと加圧ローラとで形成されるニップ方向と異なる方向に用紙の排出方向が形成されるので、用紙が定着ローラに巻きつくことを軽減できるという有効な効果が得られる。
【００２９】
また、本発明によれば、無端ベルトが加圧ローラに対して巻き付き角をもつことになるので、無端ベルトと加圧ローラとで形成されるニップ部の幅を広くとることができるという有効な効果が得られる。
【００３０】
さらに、本発明によれば、記録媒体上にあるトナーへの圧力などの作用点が１箇所だけとなるので、画像のにじみを抑制することができるという有効な効果が得られる。
【００３１】
本発明によれば、記録媒体の押圧箇所が１箇所のみであるので、無端ベルトの変極点が１つになり、用紙の湾曲が軽減されるとともに無端ベルトの耐久性を向上させることができるという有効な効果が得られる。
【００３２】
そして、本発明によれば、無端ベルトへの熱伝導率が向上して定着ローラからの熱損失が改善され、無端ベルトの高速温度立ち上げが可能になるという有効な効果が得られる。
【発明を実施するための最良の形態】
【００３３】
本発明の請求項１に記載の発明は、所定の間隔をあけて相互に平行に配置された定着ローラおよび対向ローラと、定着ローラと対向ローラとに張り渡された無端ベルトと、回転軸が定着ローラおよび対向ローラの回転軸と平行に配置され、無端ベルトを介して定着ローラに接触するとともに対向ローラとは非接触とされた加圧ローラとを有し、用紙の搬送路は、無端ベルトを介して定着ローラと加圧ローラとが圧接する部分を通過した後、無端ベルトと加圧ローラのみが接する部分を通るように形成されている定着装置であり、定着ローラと加圧ローラとで形成されるニップ方向と異なる方向に用紙の排出方向が形成されるので、用紙が定着ローラに巻きつくことを軽減できるという作用を有する。また、無端ベルトが加圧ローラに対して巻き付き角をもつことになるので、無端ベルトと加圧ローラとで形成されるニップ部の幅を広くとることができるという作用を有する。さらに、記録媒体上にあるトナーへの圧力などの作用点が１箇所だけとなるので、画像のにじみを抑制することができるという作用を有する。そして、記録媒体の押圧箇所が１箇所のみであるので、無端ベルトの変極点が１つになり、用紙の湾曲が軽減されるとともに無端ベルトの耐久性を向上させることができるという作用を有する。
【００３４】
本発明の請求項２に記載の発明は、請求項１記載の発明において、定着ローラおよび対向ローラの少なくとも一方が発熱体である定着装置であり、トナーの溶融に使用する熱を効率的に記録媒体に伝えることができ、無端ベルトの昇温を早めることが可能になるという作用を有する。
【００３５】
本発明の請求項３に記載の発明は、請求項２記載の発明において、発熱体である定着ローラは、ゴムの被覆されていない金属ローラである定着装置であり、無端ベルトへの熱伝導率が向上して定着ローラからの熱損失が改善され、無端ベルトの高速温度立ち上げが可能になるという作用を有する。
【００３６】
本発明の請求項４に記載の発明は、請求項２記載の発明において、発熱体である定着ローラは、少なくとも無端ベルトと接する部分の端部周囲がゴムで被覆されている定着装置であり、定着ローラと無端ベルトの回転ムラが軽減されるとともに、定着ローラの端部における温度上昇を防ぐことができるという作用を有する。
【００３７】
本発明の請求項５に記載の発明は、所定の間隔をあけて相互に平行に配置された定着ローラおよび支持部材と、定着ローラと支持部材とに張り渡された無端ベルトと、回転軸が定着ローラの回転軸と平行に配置され、無端ベルトを介して定着ローラに接触するとともに支持部材とは非接触とされた加圧ローラとを有し、用紙の搬送路は、無端ベルトを介して定着ローラと加圧ローラとが圧接する部分を通過した後、無端ベルトと加圧ローラのみが接する部分を通るように形成されている定着装置であり、無端ベルトの駆動方式を簡略化することができるという作用を有する。
【００３８】
以下、本発明を実施するための最良の形態を、図面を参照しつつさらに具体的に説明する。ここで、添付図面において同一の部材には同一の符号を付しており、また、重複した説明は省略されている。なお、ここでの説明は本発明が実施される最良の形態であることから、本発明は当該形態に限定されるものではない。
【００３９】
（実施の形態１）
図１は本発明の実施の形態１における定着装置が用いられた印刷装置を示す概略図、図２は図１の印刷装置に用いられた定着装置の一例を示す概略図、図３は図１の印刷装置に用いられた定着装置の変形例を示す概略図、図４は図１の印刷装置に用いられた定着装置の他の変形例を示す概略図、図５は図１の印刷装置に用いられた定着装置のさらに他の変形例を示す概略図、図６は図１の印刷装置に用いられた定着装置のさらに他の変形例を示す概略図、図７は図１の印刷装置に用いられた定着装置のさらに他の変形例を示す概略図である。
【００４０】
図１において、レーザプリンタ（印刷装置）は、記録部とコントローラ部（インターフェース部を含む）から構成されており、記録部はレーザ走査露光部と電子写真プロセス部からなる。すなわち、図１に示すように、記録部は、感光体１０の表面に電子を付着させてこれを所定の電位に一様に帯電させる帯電装置１１、レーザ光を感光体１０に照射して部分的に電位を低下させることにより静電潜像を形成する露光装置１２、帯電した微小粉体であるトナーを感光体１０の静電潜像に付着させてこれを顕像化してトナー像を形成する現像装置１３、感光体１０上に形成されたトナー像を中間転写ベルト１８に転写する１次転写装置１４−１、中間転写ベルト１８上に転写されたトナー像を用紙（記録媒体）に転写する２次転写装置１４−２、中間転写ベルト１８に転写されずに感光体１０に残留したトナーを除去・回収する感光体クリーニング装置１５−１、用紙に転写されずに中間転写ベルト１８に残留したトナーを除去・回収する中間転写ベルトクリーニング装置１５−２、光を照射することで中間転写ベルト１８にトナー像を転写後の残留電位を除去して感光体１０の表面電位を初期化する除電装置１６、用紙上のトナーに熱と圧力をかけてこれを完全に溶融、発色させて用紙上に定着させる定着装置１７からなっている。
【００４１】
このような印刷装置において、帯電装置１１により感光体１０の表面が一様な電位に帯電された後、露光装置１２からレーザ光が照射されて感光体１０に静電潜像が形成され、これが現像装置１３で顕像化されトナー像が得られる。次に、感光体１０上に形成されたトナー像が１次転写装置１４−１で中間転写ベルト１８に転写され、続いてこれが２次転写装置１４−２で用紙に転写される。そして、用紙上のトナーが定着装置１７を通して定着される。
【００４２】
なお、感光体クリーニング装置１５−１で感光体１０がクリーニングされ、中間転写ベルトクリーニング装置１５−２で中間転写ベルト１８がクリーニングされて、残留トナーが除去・回収される。また、光の照射で感光体１０の残留電位が除去されてその表面電位が初期化される。
【００４３】
このような印刷装置に用いられた定着装置は、図２に示すように、定着ローラ４１と対向ローラ４２とが所定の間隔をあけて相互に平行に配置されている。この定着ローラ４１と対向ローラ４２とには、無端ベルト４３が張り渡されている。
【００４４】
また、回転軸が定着ローラ４１と対向ローラ４２の回転軸と平行になるようにして、加圧ローラ４５が配置されている。この加圧ローラ４５は、無端ベルト４３を介して定着ローラ４１だけに接触しており、対向ローラ４２とは非接触となっている。
【００４５】
さらに、搬送路４７は、未定着のトナーが転写された用紙が、無端ベルト４３を介して定着ローラ４１と加圧ローラ４５とが圧接する部分を通過し、その後、無端ベルト４３と加圧ローラ４５のみが接する部分を通るように形成されている。
【００４６】
このような定着装置によれば、定着ローラ４１と加圧ローラ４５との接線４６で形成されるニップ方向と異なる方向に用紙の排出方向が形成されるので、用紙が定着ローラ４１に巻きつくことを軽減でき、さらに、無端ベルト４３が加圧ローラ４５に対して巻き付き角をもつことになるので、無端ベルト４３と加圧ローラ４５とで形成されるニップ部Ｎの幅は、定着ローラ４１と加圧ローラ４５とで形成される幅よりも広くなる。
【００４７】
そして、用紙などの記録媒体上にあるトナーへの圧力などの作用点が１箇所だけとなるので、画像のにじみを抑制することができる。
【００４８】
また、記録媒体の押圧箇所が１箇所のみであるので、無端ベルト４３の変極点が１つになり、用紙の湾曲が軽減されるとともに無端ベルト４３の耐久性を向上させることができる。
【００４９】
ここで、図３に示すように、定着ローラ４１内に熱源４４−１を設けることにより、定着ローラ４１を発熱体としてもよい。あるいは、図４に示すように、定着ローラ４１の近傍に誘導加熱装置４４−２を配置して定着ローラ４１に誘導電流を励起させることにより、定着ローラ４１を発熱体としてもよい。このようにすれば、定着ローラ４１がニップ部Ｎの近傍に位置していることからトナーの溶融に使用する熱損失を抑制しつつ効率的に用紙に伝えることができ、無端ベルト４３の昇温を早めることが可能になる。
【００５０】
なお、図示する場合には、定着ローラ４１に熱源４４−１や誘導加熱装置４４−２が設けられているが、対向ローラ４２に設けてもよく、定着ローラ４１および対向ローラ４２の両方に設けてもよい。
【００５１】
ここで、定着ローラ４１に熱源４４−１を設けてこれを発熱体とした場合には、定着ローラ４１は、ゴムの被覆されていない金属ローラとすることができる（図５）。
【００５２】
これにより、無端ベルト４３への熱伝導率が向上して定着ローラ４１からの熱損失が改善され、無端ベルト４３の高速温度立ち上げが可能になる。
【００５３】
また、定着ローラ４１に熱源４４−１を設けてこれを発熱体とした場合には、図６に示すように、少なくとも無端ベルト４３と接する部分の端部の周囲をゴム（シリコンゴム、フッ素ゴム、フッ素樹脂など）４８で被覆するのがよい。
【００５４】
これにより、定着ローラ４１と無端ベルト４３の回転ムラが軽減されるとともに、定着ローラ４１の端部における温度上昇を防ぐことができる。
【００５５】
そして、図７に示すように、対向ローラ４２に替えて、自己回転しない固定式の支持部
材４９を設け、無端ベルト４３の駆動方式を簡略化してもよい。なお、支持部材４９は、例えば非弾性体で構成することができる。
【産業上の利用可能性】
【００５６】
本発明は、プリンタや複写機など、電子写真装置の定着装置として広く適用することができる。
【図面の簡単な説明】
【００５７】
【図１】本発明の実施の形態１における定着装置が用いられた印刷装置を示す概略図
【図２】図１の印刷装置に用いられた定着装置の一例を示す概略図
【図３】図１の印刷装置に用いられた定着装置の変形例を示す概略図
【図４】図１の印刷装置に用いられた定着装置の他の変形例を示す概略図
【図５】図１の印刷装置に用いられた定着装置のさらに他の変形例を示す概略図
【図６】図１の印刷装置に用いられた定着装置のさらに他の変形例を示す概略図
【図７】図１の印刷装置に用いられた定着装置のさらに他の変形例を示す概略図
【図８】従来の印刷装置に用いられた定着装置の一例を示す概略図
【図９】従来の印刷装置に用いられた定着装置の他の一例を示す概略図
【図１０】従来の印刷装置に用いられた定着装置のさらに他の一例を示す概略図
【符号の説明】
【００５８】
１０    感光体
１１    帯電装置
１２    露光装置
１３    現像装置
１４−１    １次転写装置
１４−２    ２次転写装置
１５−１    感光体クリーニング装置
１５−２    中間転写ベルトクリーニング装置
１６    除電装置
１７    定着装置
１８    中間転写ベルト
２１    加熱ローラ
２２    アルミニウム素管
２３    ゴム
２５    加圧ローラ
２６    アルミニウム素管
２７    ゴム
２８    用紙（記録媒体）
２９    トナー
３１    加熱ローラ
３２    対向ローラ
３３    無端ベルト
３４    熱源
３５    加圧ローラ
３８    熱源
３９    無端ベルト
４０    加圧ローラ
４１    定着ローラ
４２    対向ローラ
４３    無端ベルト
４４−１    熱源
４４−２    誘導加熱装置
４５    加圧ローラ
４６    接線
４７    搬送路
４８    ゴム
４９    支持部材
Ｌ    ニップ幅
Ｎ    ニップ部
【図１】
2006030245.tif 000003
【図２】
2006030245.tif 000004
【図３】
2006030245.tif 000005
【図４】
2006030245.tif 000006
【図５】
2006030245.tif 000007
【図６】
2006030245.tif 000008
【図７】
2006030245.tif 000009
【図８】
2006030245.tif 000010
【図９】
2006030245.tif 000011
【図１０】
2006030245.tif 000012